(57)【要約】【課題】保護回路の誤動作を防止することができる内視鏡用バッテリ光源を備える内視鏡装置を提供する。【解決手段】操作部のライトガイド入射端面近傍に着脱自在に接続され、照明ランプ及び照明ランプ点灯用電力を供給するバッテリを内蔵し、操作部との相対位置を変化させることによって、照明ランプが点灯状態又は消灯状態に切り換わる内視鏡用バッテリ光源であって、バッテリから定格を越える過大電流が流れるときの電圧降下を検知して、バッテリからの電源供給を停止させるショート保護回路を設けるとともに、バッテリの両電極に弾性力をもって電気的に接触する接点部材を、バッテリを挟み込む位置に複数設けた内視鏡用バッテリ光源を備える。【選択図】図１
2004209279.tif 000002
【特許請求の範囲】
【請求項１】
操作部に配置したライトガイドの入射端面近傍に着脱自在に接続され、前記ライトガイド入射端面に対向する照明ランプ及びこの照明ランプを点灯させる電力を供給するバッテリを内蔵し、前記操作部との相対位置を変化させることによって、前記照明ランプが点灯状態又は消灯状態に切り換わる内視鏡用バッテリ光源を備える内視鏡装置において、
前記バッテリから定格を越える過大電流が流れるときの電圧降下を検知して、前記バッテリからの電源供給を停止させるショート保護回路を設けるとともに、前記バッテリの両電極に弾性力をもって電気的に接触する接点部材を、前記バッテリを挟み込む位置に複数設けた内視鏡用バッテリ光源を備えることを特徴とする内視鏡装置。
【請求項２】
前記バッテリは乾電池であり、前記電極は乾電池の陽極及び陰極であることを特徴とする請求項１に記載の内視鏡装置。
【請求項３】
前記バッテリは複数の乾電池であり、前記接点部材の少なくとも１つは前記乾電池を直列につなぐことを特徴とする請求項１に記載の内視鏡装置。
【請求項４】
前記接点部材は、前記乾電池の陽極には接触せず陰極のみに接触する位置に設けた弾性接点部と、前記乾電池の陰極が通過できず陽極が通過可能な絶縁部材に隣接した位置に設けた弾性接点部とを有することを特徴とする請求項３に記載の内視鏡装置。
【発明の詳細な説明】
【技術分野】
【０００１】
本発明は、内視鏡に着脱自在に装着され、内視鏡操作部との相対位置を変化させ照明ランプを点灯状態又は消灯状態に切り換える内視鏡用バッテリ光源を備える内視鏡装置に関する。
【背景技術】
【０００２】
内視鏡は医療分野及び工業用分野で広く用いられている。内視鏡を使用して診断あるいは検査を行う場合、検査部位が生体内、プラント等の内部であるため照明する手段が必要である。したがって、一般的な内視鏡では、内視鏡の外部装置として光源装置を用意している。
【０００３】
光源装置内にはランプが内蔵され、このランプからの出射光を前記内視鏡に設けたライトガイドファイバー等に導光する。すると、このライトガイドファイバーに導光された照明光が挿入部先端側の照明窓から出射されて検査部位を照らす。この光源装置では、商用電源から供給される電源を利用して光源装置内のランプを発光させるものであった。
【０００４】
これに対し、特開平１１−１５３７５９号公報には、電源に乾電池を用いたバッテリ光源を内視鏡操作部に着脱自在に取り付けられるようにした内視鏡装置が示されている。バッテリ光源を取り付けられる内視鏡は、持ち運びが容易であり、電源のない所での使用が可能になるので緊急時の使用等に最適である。
【０００５】
前記バッテリ光源に設けられているランプの点灯及び消灯は、バッテリ光源を内視鏡操作部に取り付けた後、前記バッテリ光源と前記内視鏡の操作部との相対的な位置を変えることにより行う。このことにより、外観を一見して、ランプがＯＮ状態であるか否かを識別できる。そして、前記スイッチ位置を、ＯＮ状態、ＯＦＦ状態の２箇所とし、それぞれのスイッチ位置を、相対位置が変化する回動操作範囲の一方側端及び他方側端の規制位置にしていた。
【発明の開示】
【発明が解決しようとする課題】
【０００６】
しかしながら、前記特開平１１−１５３７５９号公報の内視鏡装置では、前記スイッチ位置を、回動操作時の規制によってのみ行っていた。このため、ランプのＯＮ状態位置とＯＦＦ状態位置とが一義的である。したがって、使用者の内視鏡操作部の把持の仕方等によっては、ランプ点灯中のバッテリ光源の位置が、把持或いは操作の妨げになるおそれがある。
【０００７】
また、バッテリ光源の機能向上のため、前記ＯＮ状態位置とＯＦＦ状態位置とのほかに、例えば前記ＯＮ状態よりも光量を抑えてバッテリの持続時間を長くする等、特定の機能に応じた第３のスイッチとなるスイッチ位置を回動操作範囲内に設けようとした場合、その特定の機能状態を保持する操作が非常に困難になる。これは、回動操作範囲内に前記バッテリ光源と前記操作部との相対位置関係を他の状態位置に固定する位置固定手段を有していないためである。したがって、たとえ第３のスイッチをこの回動操作範囲内に設けても、不用意にスイッチ位置が移動する等の不具合が発生して操作性が悪化するおそれがあった。
【０００８】
本発明は上記事情に鑑みてなされたものであり、保護回路の誤動作を防止することができる内視鏡用バッテリ光源を備える内視鏡装置を提供することを目的とする。
【課題を解決するための手段】
【０００９】
本発明の第１の内視鏡装置は、操作部に配置したライトガイドの入射端面近傍に着脱自在に接続され、前記ライトガイド入射端面に対向する照明ランプ及びこの照明ランプを点灯させる電力を供給するバッテリを内蔵し、前記操作部との相対位置を変化させることによって、前記照明ランプが点灯状態又は消灯状態に切り換わる内視鏡用バッテリ光源を備える内視鏡装置において、前記バッテリから定格を越える過大電流が流れるときの電圧降下を検知して、前記バッテリからの電源供給を停止させるショート保護回路を設けるとともに、前記バッテリの両電極に弾性力をもって電気的に接触する接点部材を、前記バッテリを挟み込む位置に複数設けた内視鏡用バッテリ光源を備えることを特徴とする。
【００１０】
本発明の第２の内視鏡装置は、前記第１の内視鏡装置において、前記バッテリは乾電池であり、前記電極は乾電池の陽極及び陰極であることを特徴とする。
【００１１】
本発明の第３の内視鏡装置は、前記第１の内視鏡装置において、前記バッテリは複数の乾電池であり、前記接点部材の少なくとも１つは前記乾電池を直列につなぐことを特徴とする。
【００１２】
本発明の第４の内視鏡装置は、前記第３の内視鏡装置において、前記接点部材は、前記乾電池の陽極には接触せず陰極のみに接触する位置に設けた弾性接点部と、前記乾電池の陰極が通過できず陽極が通過可能な絶縁部材に隣接した位置に設けた弾性接点部とを有することを特徴とする。
【発明の効果】
【００１３】
本発明によれば、保護回路の誤動作を防止することができる内視鏡用バッテリ光源を備える内視鏡装置を提供することができる。
【発明を実施するための最良の形態】
【００１４】
以下、図面を参照して本発明の実施の形態を説明する。  
図１ないし図１９は本発明の一実施形態に係り、図１は本発明の内視鏡装置の構成を説明する図、図２は操作部及び内視鏡用バッテリ光源の接続部の外観を説明する図、図３は内視鏡用バッテリ光源の全体構成を示す図、図４は内視鏡用バッテリ光源のランプ室を主とする長手方向断面図、図５は操作部と内視鏡用バッテリ光源との相対位置の違いによる内視鏡用バッテリ光源のスイッチ操作を説明する図、図６は電池蓋及びバックル固定部の断面図、図７は電池蓋に設けられる接点部材の分解図、図８は電池蓋に当接するバッテリの両極の範囲を示す図、図９は図８のＦ−Ｆ線断面図、図１０はスイッチ接点部の形状、位置関係を説明する図、図１１はオフ状態のスイッチ位置を説明する図、図１２はオン状態の一スイッチ位置を説明する図、図１３はオン状態の他のスイッチ位置を説明する図、図１４は内視鏡用バッテリ光源の電源回路を説明する図、図１５はクリック機構を構成する部品の分解図、図１６は基板収納室を隔てる隔壁部材を説明する図、図１７は内視鏡の把持方法の１例を示す図、図１８は内視鏡の把持方法の他の例を示す図、図１９は内視鏡装置を患者に使用するときの向きを示す図である。
【００１５】
なお、図１１（ａ）は図４のＢ−Ｂ線断面図でありスイッチＯＦＦ状態における位置関係を説明する図、図１１（ｂ）は図４のＣ−Ｃ線断面図でありスイッチＯＦＦ状態における位置関係を説明する図、図１２（ａ）は図４のＢ−Ｂ線断面図でありスイッチＯＮ状態における一つの位置関係を説明する図、図１２（ｂ）は図４のＣ−Ｃ線断面図でありスイッチＯＮ状態における一つの位置関係を説明する図、図１３（ａ）は図４のＢ−Ｂ線断面図でありスイッチＯＮ状態における他の位置関係を説明する図、図１３（ｂ）は図４のＣ−Ｃ線断面図でありスイッチＯＮ状態における他の位置関係を説明する図、図１９（ａ）は横になっている患者に内視鏡を使用する状態を説明する図、図１９（ｂ）は対面した患者に内視鏡を使用する状態を説明する図、図１９（ｃ）は内視鏡の把持方法の１例を示す図である。
【００１６】
図１に示すように本実施形態の内視鏡装置１は、水密構造の内視鏡２と、この内視鏡２に着脱自在に接続されるライトガイドケーブル３と、この内視鏡２に着脱自在に接続される水密構造の内視鏡用バッテリ光源（以下、バッテリ式光源とも記載する）４とで構成されている。
【００１７】
前記内視鏡２は、細長の挿入部５と、この挿入部５の基端部に設けた操作部６と、この操作部６の後端部に設けた接眼部７とで構成されている。前記挿入部５は、先端側から順に硬質の先端部８と、湾曲自在な湾曲部９と、柔軟性を有する可撓管部１０とを連設している。
【００１８】
前記操作部６の側面には熱伝導性の良好な部材で形成したライトガイド口金１１が設けてある。このライトガイド口金１１は側方に突出している。このライトガイド口金１１には前記ライトガイドケーブル３の接続部３ａ又は、前記バッテリ式光源４の接続部１２が着脱自在に接続される。
【００１９】
前記操作部６には術者が把持する把持部１３が設けてある。この把持部１３の後方側には前記ライトガイド口金１１、前記湾曲部９の湾曲操作を行う湾曲操作レバー１４及び吸引操作を行う吸引ボタン１５が設けてある。この吸引ボタン１５の基端付近からは、前記内視鏡２に設けた吸引チャンネル（不図示）に連通する吸引口金１６が突出している。この吸引口金１６には図示しないチューブを介して吸引装置（図示せず）に接続されている。したがって、前記吸引ボタン１５を適宜操作することによって、吸引チャンネル、吸引口金１６を介して体腔内の液体などの吸引排出を行える。
【００２０】
前記把持部１３の前方側には鉗子挿入口１７が突設している。この鉗子挿入口１７は、通常、鉗子栓１８で閉塞される。また、鉗子挿入口１７の反対側には、例えば通気口金１９が設けてある。この通気口金１９から内視鏡２の内部に空気を送り込むことによって、内視鏡２の水漏れ検査を行える。
【００２１】
前記挿入部５内には照明光を伝送する図示しないライトガイドファイバが挿通している。このライトガイドファイバの基端部は、前記操作部６内部で屈曲され、ライトガイド口金１１内にその基端部が固定されている。そして、このライトガイドファイバの先端部は、前記挿入部５の先端部８に設けた照明窓２０に固定されている。
【００２２】
前記ライトガイド口金１１の外周部には接続用の雄ネジ部１１ａが設けてある。この雄ネジ部１１ａには、前記ライトガイドケーブル３の接続部３ａ、又はバッテリ式光源４の接続部１２の外周部にそれぞれ移動自在に設けられている接続環３ｃ、２４の内周面に形成されている雌ネジ部が螺合する。前記接続管３ｃ、２４を前記接続部３ａに螺合固定することによって、内視鏡２とライトガイドケーブル３又は内視鏡２とバッテリ式光源４とが一体になる。
【００２３】
図２ないし図４に示すように前記バッテリ式光源４の接続環２４は、ネジ本体２４ａと、ネジカバー２４ｂとで構成されている。前記ネジ本体２４ａには前記雌ネジ部が形成されている。前記ネジカバー２４ｂは、前記ネジ本体２４ａの外周部を被覆し、ゴムなどの低熱伝達性で弾性を有する素材で形成されている。このネジカバー２４ｂの先端側端部は、前記ネジ本体２４ａの先端部よりも先端側に延長しており、その内周面には凸部２４ｃが一体に形成されている。
【００２４】
図２に示すように前記内視鏡２と前記バッテリ式光源４とを連結するとき、前記ライトガイド口金１１の接続筒１１ｃに設けられている指標１１ｂと、バッテリ式光源４に設けられている指標４ａとを一致させて取り付ける。このことによって、前記バッテリ式光源４に設けられている位置きめピン２６がライトガイド口金１１の接続筒１１ｃに設けられているピン受け部１１ｄに係入する。このことによって、内視鏡２とバッテリ式光源４とは一定した位置関係で位置決めされる。
【００２５】
この状態で接続環２４を所定方向に回転する。すると、ネジ本体２４ａの内周面に形成されている雌ネジ２４ｄとライトガイド口金１１の雄ネジ部１１ａとが螺合状態になる。このことによって、内視鏡２とバッテリ式光源４とが一体的に固定される。このとき、接続環２４の内周側の接続口金２７に設けた水密リング２８が接続筒１１ｃ内周面に密着する。したがって、連結部における水密が確保される。
【００２６】
また、前述した螺合が完了する際、前記ネジカバー２４ｂの内周面に成形された凸部２４ｃは、操作部６の側面から凸設した口金台座６ｃの外周面に弾性力を持って当接する。このことにより、接続環２４とライトガイド口金１１との螺合固定状態が容易に緩まない構造になっている。
【００２７】
なお、前記ネジカバー２４ｂの内周面全面を口金台座６ｃに当接させるのではなく、部分的に凸部２４ｃだけを当接させたことによって、強い締め付け力を加えることなく、確実に螺合を完了させることができる。加えて、ネジカバー２４ｂと口金台座６ｃとが擦れ合ったとき、不快な音の発生が防止される。
【００２８】
また、この螺合固定の際、照明ランプ２１が点灯しないようにバッテリ式光源４をＯＦＦ状態にしておく。つまり、図５の一点鎖線に示す位置関係、つまりバッテリ式光源４の光源本体３０を内視鏡２の長手軸方向に対して平行な相対位置関係にしておく。
【００２９】
そして、このＯＦＦ位置を基準にして、光源本体３０を正、逆方向にそれぞれ９０°回転させて、図５の実線又は破線に示す位置に光源本体３０を配置することにより、前記照明ランプ２１が点灯するＯＮ状態になる。
【００３０】
したがって、前記ライトガイド口金１１に例えばバッテリ式光源４を装着して、図５の実線又は破線で示す位置に前記光源本体３０を配置することにより、このバッテリ式光源４の内部に設けられた照明ランプ２１が発光状態になる。
【００３１】
前記照明ランプ２１の照明光は、バッテリ式光源４内の集光レンズ２２で集光されて、ライトガイド口金１１のライトガイドファイバ光入射端面に設けられている透明のガラス部材で形成されたライトガイドカバー（図示せず）を通ってライトガイドファイバに供給される。そして、このライトガイドファイバにより先端部まで伝送されて、前記照明窓２０から前方側に向かって出射されて検査部位を照らす。
【００３２】
一方、前記図１に示したライトガイドケーブル３の後端部に設けられているライトガイドコネクタ３ｂは、図示しない既存の光源装置に接続されるようになっている。したがって、このライトガイドコネクタ３ｂを光源装置に接続することによって、光源装置の内部に設けられている照明ランプからの照明光がライトガイドコネクタ３ｂ、ライトガイドケーブル３内の図示しないライトガイドファイバ、接続部３ａを介して内視鏡２のライトガイドファイバに供給される。
【００３３】
つまり、この内視鏡２にライトガイドケーブル３を接続することにより、通常の内視鏡と同様に光源装置に接続して内視鏡検査を行える。
【００３４】
ここで、バッテリ式光源４の構成を具体的に説明する。
【００３５】
図３に示すようにバッテリ式光源４は、光源本体３０と、この光源本体３０に対して、例えば蝶番式で開閉自在に連結された蓋体３１と、前記光源本体３０に着脱自在に装着可能な照明ランプ２１を保持するランプ装着部材であるランプホルダ３２とで構成されている。
【００３６】
前記蓋体３１を開放状態にすることによって、乾電池３３の交換を行える。また、前記ランプホルダ３２を光源本体３０から取り外すことによって、照明ランプ２１の交換を行える。なお、本実施形態においては、バッテリ式光源４の電源として２本の乾電池３３として、例えば単３形ニッケル水素充電池を使用する。
【００３７】
前記光源本体３０は、絶縁性の樹脂部材で形成された外装部材３４によって主に構成されている。この外装部材３４には、前記乾電池３３を収納するバッテリ収納部３５と、前記照明ランプ２１を収納するランプ室３６とが形成されている。
【００３８】
前記バッテリ収納部３５の内部には、使用する乾電池３３の残量を検出する残量検出回路２５が設けられている。この残量検出回路２５による検出結果は、複数のＬＥＤ２９ａ、２９ｂを点灯させて、乾電池３３の残量として、術者に告知される。
【００３９】
図２に示すように前記外装部材３４の前記ＬＥＤ２９ａ等に対向する位置には、これらＬＥＤの光を透過する複数の表示窓３７ａ、３７ｂを配置して構成した残量表示部３８が設けられている。本実施形態においては、前記乾電池３３の容量が十分な状態であるとき、表示窓３７ａに対応する発光色が緑色の２つのＬＥＤ２９ａが同時に点灯する。
【００４０】
前記乾電池３３の容量が低下するにしたがって、１つずつＬＥＤ２９ａが消灯する構成になっており、前記乾電池３３の容量が残り僅かになったときには、緑色のＬＥＤ２９ａから、表示窓３７ｂに対応する発光色が例えば黄色のＬＥＤ２９ｂに切り換わる。そして、このＬＥＤ２９ｂが点滅して術者に電池切れ警告を促すようになっている。
【００４１】
なお、視認性の向上を目的にして、前記表示窓３７ａ近傍にはレベルゲージ４０を設けている。  
また、ＬＥＤによる表示例は上述した形態に限定されるものではなく、発光色の変更や、ＬＥＤの数量の変更等が可能である。また、ＬＥＤによる表示の他に液晶によって、容量を例えばバーグラフ的に表示するようにしてもよい。
【００４２】
さらに、前記バッテリ収納部３５に２本の乾電池３３を収納し、蓋体３１を閉めたとき、後述する図１６に示すコイルバネ４４ａ、４４ｂの弾性力によって、乾電池３３が導電板４１に接触するように付勢されて、直列状態で接続される。したがって、前記２本の乾電池３３の装填向きは互いに異なっている。
【００４３】
図３及び図６に示すように前記蓋体３１には固定爪部３１ａが設けてある。これに対して、前記外装部材３４には前記蓋体３１を閉状態にしたとき前記固定爪部３１ａに係合するロック爪４２が設けてある。このロック爪４２は、前記外装部材３４に対して回動する開放レバー４３に回動自在に設けられている。このため、このロック爪４２は、開放レバー４３の動作に連動して固定爪部３１ａに対して固定した状態、又は開放した状態になる。つまり、前記蓋体３１は、いわゆるバックル式のロック機構によって光源本体３０に一体固定される。
【００４４】
前記蓋体３１の内面側にはパッキン４６が設けられている。この蓋体３１を閉状態にしたとき、前記パッキン４６がバッテリ収納部３５の開口部の水密面３５ａに密着する。このことによって、バッテリ収納部３５内は水密に保持される。
【００４５】
なお、前記水密面３５ａは、前記蓋体３１が閉じられる方向に対して傾斜している。つまり、開口側から奥方向に向かって内寸が徐々に小さくなる傾斜面である。このことにより、例えば開放レバー４３が閉状態のとき、蓋体３１を開放する方向に付勢力を発生させる役割をし、前記バックル式のロック機構が上手く働くようにしている。
【００４６】
また、前記ロック爪４２及び前記開放レバー４３は閉状態において、前記外装部材３４に一体的に設けられている堤部３４ａに対し凹凸がないように収納配置される構成になっている。このことにより、使用中、或いは洗滌中等に、誤って開放レバー４３が開放操作されることを防止している。
【００４７】
図７に示すように前記蓋体３１には導電板４１と導電パネル４７とがビス７０によって固定されている。前記導電板４１は電気的接続手段を構成する導電性が良好で剛性を有する板材で形成されている。前記導電パネル４７は、前記導電板４１の下側に重ねるように配置される。この導電パネル４７は、導電性が良好でばね弾性を有する板材で形成されており、前記乾電池３３の電極部に当接する後述する腕部が形成されている。なお、蓋体３１自体は非導電部材で形成されている。
【００４８】
図３及び図７、図８に示すように前記導電板４１の一端側部は段付形状である。この導電板４１の端面側には前記乾電池３３の陽極が対向する領域５３に重ならないように半弧状部４１ｃが形成されている。この半弧状部４１ｃ近傍の所定位置には、前記導電パネル４７に形成された細い帯状の弾性接点部となる第１弾性腕部４７ａが配置される切り欠き部４１ａが形成してある。この切り欠き部４１ａは、乾電池３３の陰極が対向する領域５４に重なって位置している。
【００４９】
前記導電板４１のビス穴７０ａを挟んだ他方側部には、前記導電パネル４７に形成された細い帯状の弾性接点部となる第２弾性腕部４７ｂが配置される、略長方形の開口部４１ｂが形成してある。
【００５０】
前記導電パネル４７と前記導電板４１とを重ね合わせた状態にして蓋体３１にビス７０で一体固定することにより、前記導電板４１の切り欠き部４１ａ及び開口部４１ｂにそれぞれ前記導電パネル４７の第１弾性腕部４７ａ及び第２弾性腕部４７ｂが配置される。
【００５１】
このとき、前記第１弾性腕部４７ａは、乾電池３３の陽極が対向する領域５３に重ならない。すなわち、乾電池３３の陰極のみが対向する領域５４に位置している。そして、図９に示すように前記弾性腕部４７ａ、４７ｂの乾電池３３と接触する接点部がそれぞれ導電板４１の上面より突出した位置になる。
【００５２】
なお、図７に示した前記蓋体３１の乾電池３３に対向する内面側には、前記導電板４１、導電パネル４７を位置決め配置するための凹部３１ｂが形成されている。
【００５３】
また、前記弾性腕部４７ａ、４７ｂが乾電池３３と当接して押圧されたとき、弾性変形するように、前記弾性腕部４７ａ、４７ｂのそれぞれの変形方向には逃げ部４９ａ、４９ｂが設けてある。
【００５４】
さらに、前記開口部４１ｂが配置される側の内面には、前記乾電池３３の陽極は接触することなく通過するが、陰極は当接して通過することのできない略Ｃ字状の凸部３１ｃが形成されている。このことにより、前記図９に示すように前記導電板４１の上面から凸部３１ｃの上面までの高さが乾電池３３の陽極の突出高さより低く、かつ導電パネル４７の第２弾性腕部４７ｂの突出部が凸部３１ｃの上面よりも低い位置になるように設定される。
【００５５】
又、前記パッキン４６は、前記凹部３１ｂの外周側に形成された略長円形状の段部に配置される。
【００５６】
また、図４に示すように、前記良導電性素材で形成されたコイルバネ４４ａ、４４ｂは、前記バッテリ収納部３５の底部に配置されて電源回路４５に接続されており、直列に繋がれた乾電池３３の電力が前記電源回路４５に供給される。この電源回路４５には前記乾電池３３の電圧を、照明ランプ２１の定格電圧に変換する図１４に示す変圧回路３９が搭載されている。
【００５７】
図４及び図１０に示すように前記電源回路４５とランプ室３６との間には弾性力を有する導電接点板４０ａ、４０ｂ、４０ｃが配置されている。前記導電接点板４０ａの端部は、後述するスイッチ操作により、弾性範囲内で絶縁ブロック５２に乗り降りする構成である。図１１（ｂ）に示すように絶縁ブロック５２に乗り上げた状態では、導電接点板４０ｂと導電接点板４０ａとが切り離されて、スイッチＯＦＦ状態になる。
【００５８】
そして、図１２（ｂ）及び図１３（ｂ）に示すように絶縁ブロック５２から降りた状態では、導電接点板４０ｂと導電接点板４０ａとが押圧接触して、スイッチＯＮ状態になる。
【００５９】
前記導電接点板４０ａと絶縁ブロック５２との摺動部は、前記導電接点板４０ａのエッジ部分によってこの絶縁ブロック５２を削られないよう導電接点板４０ａの端部を幅広に形成してある。また、前記導電接点板４０ａの端部のエッジ部分に対して中央寄りに絶縁ブロック５２の摺動凸部５２ａが当接するようにしている。このことにより、削りカス発生による接点の接触不良を防止している。そして、この導電接点板４０ａの幅広部は、前記導電接点板４０ｂとの接触部分でもある。
【００６０】
前記導電接点板４０ｂは、後述するスイッチ操作にかかわらず、良導電素材からなるランプ収納筒５０に常に押圧接触している。そして、その端部であるランプ収納筒５０及び導電接点板４０ａとの接触部を幅広に形成して、スイッチ操作してＯＦＦ状態のとき、その一部が絶縁ブロック５２の下に潜り込んで、ランプ収納筒５０との間に設けた隙間に収まる構成になっている。
【００６１】
前記導電接点板４０ｃは、幅広の端部を屈曲させて形成した屈曲部４０ｄをランプ室３６の内部に突出するように配置している。この屈曲部４０ｄは、図４に示すように、ランプホルダ３２をランプ室３６に装着したとき、ランプホルダ３２に設けたランプ接点バネ５５のリング形状部５５ａに押圧接触する。
【００６２】
図１４に示すように本実施形態における乾電池３３は、ニッケル水素充電池で、単電池あたり１．２Ｖの起電力を有する。このため、直列に繋がれることで２．４Ｖの電源電圧になる。そして、この乾電池３３の陽極側は変圧回路３９に接続され、陰極側は前記導電接点板４０ａに接続されている。
【００６３】
一方、前記導電接点板４０ａが接触する導電接点板４０ｂは、前記変圧回路３９に接続され、導電接点板４０ａと導電接点板４０ｂとが接触した状態で変圧回路３９への電源供給回路が構成される。また、前記導電接点板４０ｂ、４０ｃは、定格電圧４．８ｖの照明ランプ２１の電極にそれぞれ電気的に接続されている。前記導電接点板４０ｂ、４０ｃは、前記変圧回路３９の出力ラインである。
【００６４】
このことによって、前記導電接点板４０ａがスイッチ操作されることにより、変圧回路３９が起動し、４．８Ｖに昇圧した電力が照明ランプ２１へ供給される回路構成になる。
【００６５】
なお、前記導電接点板４０ｂは、乾電池３３、変圧回路３９のループ及び変圧回路３９、照明ランプ２１のループに対する共通のグランドになっている。
【００６６】
また、前記電源回路４５には図示しないショート保護回路が搭載されており、電源である乾電池３３の電流が最大に流れた時の電圧降下を検知して、照明ランプ２１への電源供給を停止させるようになっている。これは、バッテリ式光源４のスイッチがＯＮ位置にある場合でも回路上で照明ランプ２１への電源供給を停止させる。
【００６７】
さらに、図示しないが、電源回路４５と残量検出回路２５とはＬ字型に接合され、残量検出回路２５の起電力は前記電源回路４５より供給されるようになっている。
【００６８】
前記図３に示すように前記ランプホルダ３２は、ホルダ本体５１と、水密リング５６と、ランプ接点バネ５５とで構成されている。前記ホルダ本体５１は、絶縁性の例えば樹脂素材で太径部と細径部とを設けて形成されている。水密リング５６は、前記ホルダ本体５１の太径部外周に配置されている。前記ランプ接点バネ５５は、前記ホルダ本体５１の細径部に嵌合配置されるリング形状部５５ａ及びこのリング形状部５５ａから前記照明ランプ２１の基端側電極にバネ弾性力を持って当接する腕部５５ｂを備えている。
【００６９】
前記ホルダ本体５１の細径部の根元側外周には前記外装部材３４に螺合する雄ネジ部５１ａが形成されている。この雄ネジ部５１ａのネジ形状は、ネジ山が台形な、所謂台形ネジとして形成されている。このため、外装部材３４に強くねじ込んでいった場合でも螺合状態が強く食い付いた状態になることを防止、ランプホルダ３２の着脱を常にスムーズに行える。
【００７０】
前記ホルダ本体５１の細径部先端部には、管状部分に複数のスリットを設けて形成したランプ固定爪部５１ｂが設けられている。このランプ固定爪部５１ｂの端部の内周面には、前記照明ランプ２１の取付け部の外周面にリング状に突出したランプ凸部２１ａを係止するランプ係止部５１ｃ（図４参照）が形成されている。
【００７１】
前記ランプ固定爪部５１ｂの内周側の径寸法は、これに係合する照明ランプ２１の基端部の取付け部外径寸法より僅かに大きく設定され、かつランプ係止部５１ｃは図３に示す照明ランプ２１のランプ凸部２１ａと段付き部２１ｂとの間に位置する状態になる。
【００７２】
このため、照明ランプ２１をランプホルダ３２に装着したとき、照明ランプ２１はこの照明ランプ２１の光軸方向周りに自由に回転可能で、かつランプ光軸方向に対しても移動可能になっている。
【００７３】
前記ランプ係止部５１ｃより後方位置に腕部５５ｂが配置され、その前方側にバネ付勢されるようになっているため、ランプ凸部２１ａがランプ係止部５１ｃを乗り越えて保持された状態では、この腕部５５ｂの付勢力によってランプ係止部５１ｃにランプ凸部２１ａが当接するように保持される。なお、このとき、前記外装部材３４にランプホルダ３２を取り付けていない状態とする。
【００７４】
一方、この腕部５５ｂの付勢力に抗する力が加わった場合には、ランプ凸部２１ａをランプ固定爪部５１ｂの深部側に移動させることができるようになっている。
【００７５】
前記ランプ凸部２１ａの外径寸法は、ランプ係止部５１ｃの内周面の径寸法より僅かに大きく、これを押し広げるようにして押し込むことができる。そして、このときにクリック感を生じさせることによって、作業者はランプ装着作業が確実に行われたことを認識できる。
【００７６】
なお、前記照明ランプ２１を保持したランプホルダ３２を外装部材３４に螺合し、照明ランプ２１がランプ収納筒５０内部のランプ当接部５０ａに当接し、かつランプホルダ３２の螺合が完了した装着状態のとき、前記照明ランプ２１のランプホルダ３２に対する光軸方向の移動範囲内であるランプ凸部２１ａと段付き部２１ｂとの間に、ランプ係止部５１ｃが収まるように各々の寸法を設定している。
【００７７】
また、前記ランプ係止部５１ｃによる照明ランプ２１のランプ凸部２１ａの係合は、ランプ接点バネ５５のバネ力より強い力で係合するようになっている。
【００７８】
さらに、前記ランプ接点バネ５５の腕部５５ｂは、前記ランプ固定爪部５１ｂのスリットを通ってホルダ本体５１の略中央まで延出している。前記照明ランプ２１をランプホルダ３２に装着したとき、前記腕部５５ｂが前記照明ランプ２１底部にある一方の電極に弾性力を持って当接する。
【００７９】
又、ホルダ本体５１の基端には図４に示すようにマイナスドライバーの先端部やコイン等が配置される溝部５１ｄが形成されている。この溝部５１ｄにコイン等を係入させてホルダ本体５１を回転させることによって、着脱操作を行えるようになっている。
【００８０】
また、ランプホルダ３２を外装部材３４に螺合装着したとき、前記水密リング５６によって、バッテリ式光源４内部の水密が保持される。
【００８１】
また、前記照明ランプ２１は、電極の一方をなす金属製の筒体２１ｃの外周部に、そのランプ前端側付近を露出させるようにして非導電性で熱を伝えにくい樹脂チューブ５７を被覆している。
【００８２】
図４は、照明ランプ２１を装着したランプホルダ３２を、バッテリ式光源４に装着した状態でのランプ室３６の断面図である。この図４が示している状態は、照明ランプ２１が点灯した状態である。そして、本実施形態においてはＯＮ状態スイッチ位置は２箇所であり、この図４のＣ−Ｃ断面である図１２（ｂ）の状態及び図１３（ｂ）の状態がそれである。なお、このときの全体構成を示す図は図５の実線及び破線の位置関係である。
【００８３】
このＯＮ状態から以下に説明するランプ収納筒５０に対して、外装部材３４をそれぞれ正・逆方向に９０°回転させて、図１１（ｂ）に示す状態にすることにより、照明ランプ２１が消灯するＯＦＦ状態スイッチ位置になる。
【００８４】
前記ランプ室３６の内部には導電性の良好な素材で形成した略円筒形状のランプ収納筒５０が配置されている。このランプ収納筒５０の基端部は、フランジ形状をしており、弾性を有し摺動抵抗を増加させるリング４８を挟んで外装部材３４に回動自在に配置されている。
【００８５】
前記導電接点板４０ａを弾性変形させる絶縁ブロック５２がランプ収納筒５０の所定の位置に固定されている。この固定位置は、後述する照明ランプ２１のＯＮ状態、ＯＦＦ状態になるスイッチ位置に対応している。
【００８６】
前記ランプ収納筒５０の略中央部内孔は、照明ランプ２１の筒体２１ｃ外周が略ぴったりと嵌挿される寸法に形成されている。このランプ収納筒５０の端部側内周の所定位置には、照明ランプ２１の筒体２１ｃの前端周縁部が当接して位置決め部となるランプ当接部５０ａが形成されている。なお、前記筒体２１ｃは、前記照明ランプ２１の底部側に設けられた一方の電極に対応する他方の電極になっている。
【００８７】
図１５に示すように前記外装部材３４のランプホルダ装着口３４ｂに嵌入されるランプ収納筒５０の一端部の外周に対して、このランプホルダ装着口３４ｂとは反対側の開口部から、クリック機構部を構成するための円盤状のクリック板５８、スプリング５９、接続口金２７の順で挿嵌されている。
【００８８】
前記接続口金２７には位置決めピン２６が、この接続口金２７の内周面より突出するようにネジ固定されいる（図４参照）。したがって、前記位置決めピン２６の突出部２６ａを、前記ランプ収納筒５０の端部に設けた切り欠き部５０ｂに係入させて接続口金２７をランプ収納筒５０にスライド嵌入させる。
【００８９】
また、前記クリック板５８には略コの字形のスリット５８ａが形成されている。このスリット５８ａに、前記接続口金２７の基端部側から、その円筒部分の一部を延出させた回転規制部２７ａを通過させる。
【００９０】
さらに、内視鏡２のライトガイド口金１１が挿入される円筒中空の底部には集光レンズ２２が水密的に接着固定されたレンズ保持筒６０がランプ収納筒５０に螺合することによって、前記接続口金２７をランプ収納筒５０に一体的に固定される。
【００９１】
又、前記ランプホルダ装着口３４ｂに、前記ホルダ本体５１の雄ネジ部５１ａが螺合する非導電性の雌ネジブロック６６を嵌合固定している。また、外装部材３４に嵌入した接続口金２７の基端部側に水密リング６１を設けて水密構造にしている。さらに、レンズ保持筒６０の先端側外周に水密リング６２を介挿して水密を確保する構成になっている。
【００９２】
この状態で、前記クリック板５８は、前記スプリング５９のバネ弾性力により、外装部材３４の内周段付き部３４ｃに設けられた２箇所の突起部３４ｄに常に付勢される。（図１５及び図１１（ａ）参照）
前記クリック板５８は、前記スプリング５９の付勢力に抗する方向に対して移動できるようになっている。また、このクリック板５８には前記突起部３４ｄと同じ角度位置に溝部５８ｂが形成されている。スイッチ操作によって、前記突起部３４ｄが溝部５８ｂに落ち込むことによって、クリック感が生じるようになっている。（図１１（ａ）参照）
前記段付き部３４ｃは、前記接続口金２７の嵌入する内径深さを所定の角度範囲で異ならせたもので、図１１（ａ）に示すようにその内周方向に突き出した段部の両側面は、前記回転規制部２７ａが当接する回転止め３４ｅになっている。
【００９３】
以上の構造によって、ランプ収納筒５０を軸として外装部材３４が所定の角度範囲内で回動し、かつその角度範囲内でクリック感を持って所定の相対位置に保持するクリック固定位置を設けている。
【００９４】
本実施形態においては、このクリック固定位置をＯＦＦ状態スイッチ位置とし、この位置を中心に正・逆方向にそれぞれ９０°の範囲で回動して、規制位置であるＯＮ状態スイッチ位置に移動する構成になっている。そして、この回動角度を適宜変更することは可能である。
【００９５】
なお、前記ランプ室３６周辺の外装部材３４の外周面には、大気との接触面積を増やすための凹凸部６７が形成してある。この凹凸部６７によって、照明ランプ２１から発する熱は、効率的に外部に放出させるようになっている。
【００９６】
図６及び図１６に示すように前記残量検出回路２５及び電源回路４５を備えた基板が配置される基板収納室６４と、前記乾電池３３とが収納される電池室６３のスペースは、非導電部材よりなる隔壁部材６５により隔てられている。
【００９７】
この隔壁部材６５の辺縁部６５ａは、リブ状に成形され、外装部材３４と隙間なく組み付くように構成されている。このことにより、電池室６３から浸入する異物が基板収納室６４に入ることを防止することができ、導電異物が侵入することによる回路ショート等の不具合を防止することができる。なお、この隔壁部材６５は、前記残量検出回路２５を保持、固定する機能を有している。
【００９８】
ここで、本実施形態のバッテリ式光源４の作用を説明する。  
まず、図３に示すように光源本体３０の蓋体３１を開放し、バッテリ収納部３５に２本の乾電池３３を互いの極性を逆にして収納し、前記蓋体３１を閉じる。その後、開放レバー４３を動かしながらロック爪４２を前記蓋体３１の固定爪部３１ａに係合し、前記開放レバー４３を外装部材３４の側面側に倒し、ロック爪４２で蓋体３１を光源本体３０側に引き寄せるように固定する。
【００９９】
このことにより、蓋体３１に設けたパッキン４６がバッテリ収納部３５の開口部に密着して水密状態になる。また、蓋体３１に設けた導電板４１及び導電パネル４７は、前記乾電池３３の対向する電極に接触して、２本の乾電池３３が直列状態につながる。このとき、前記乾電池３３の両極は、バッテリ収納部３５内部のコイルバネ４４ａ、４４ｂと蓋体３１の弾性腕部４７ａ，４７ｂの付勢力で挟み付けられた状態になる。
【０１００】
次に、照明ランプ２１の基端側をランプホルダ３２のランプ固定爪部５１ｂに差し込む。このとき、照明ランプ２１の凸部２１ａが前記ランプ固定爪部５１ｂの内周面にあるランプ係止部５１ｃを押圧しながら嵌入し、凸部２１ａが前記ランプ係止部５１ｃを乗り越える。このことにより、クリック感を持って固定状態になる。
【０１０１】
また、このとき、ランプ接点バネ５５の腕部５５ｂは、照明ランプ２１の基端部電極に弾性的に当接する。なお、この状態で、照明ランプ２１は、ランプホルダ３２に対し光軸周りに回転か可能であり、かつランプ接点バネ５５の弾性力に抗する光軸方向に移動可能である。
【０１０２】
次いで、前記ランプホルダ３２の溝部５１ｄにコイン等を配置して回転させ、ランプホルダ３２の雄ネジ部５１ａを外装部材３４の雌ネジ部に螺合する。このことによって、光源本体３０のランプ室３６に照明ランプ２１が装填される。
【０１０３】
このとき、前記ランプホルダ３２の外装部材３４への螺合が完了する前に、照明ランプ２１の他方の電極である先端側周縁部をランプ収納筒５０に設けた位置決め用のランプ当接部５０ａに当接させて位置決めする。すなわち、ランプ凸部２１ａがランプ係止部５１ｃに当接した状態で、ランプホルダ３２を外装部材３４へ螺合する。
【０１０４】
このことにより、螺合の初期の段階で照明ランプ２１がランプ当接部５０ａに当接し、その後、照明ランプ２１の基端電極部が、ランプ固定爪部５１ｂの深部に移動して、腕部５５ｂを弾性変形させ、螺合を完了すると図４に示す装着状態になる。
【０１０５】
なお、前記ランプ当接部５０ａは、照明ランプ２１からの出射光を、最も効率よく内視鏡のライトガイドファイバ入射端に集光する位置に照明ランプ２１を位置決めする機能を有している。
【０１０６】
また、このとき、ホルダ本体５１は、外装部材３４に一体的に固定され、変圧回路３９の出力につながる導電接点板４０ｃが図４に示すようにランプ接点バネ５５のリング形状部５５ａに弾性的に接触する。
【０１０７】
さらに、前記照明ランプ２１装填状態のランプ室３６内部は、水密リング５６によって水密状態になる。
【０１０８】
続いて、内視鏡２のライトガイド口金１１に前記バッテリ式光源４の接続部１２を接続する。これにより、前記接続部１２と一体化したランプ収納筒５０までが前記ライトガイド口金１１に対して一体的に固定される。
【０１０９】
図５の一点鎖線に示す位置においては、ランプ点灯スイッチがＯＦＦ位置である。この状態においては、図１１（ｂ）に示すように導電接点板４０ａが絶縁ブロック５２に乗り上げて、導電接点板４０ａ、４０ｂどうしが切り離された状態になって、変圧回路３９は起動しない。つまり、照明ランプ２１は点灯しない。また、このランプ消灯状態では残量検出回路２５への電源供給も行われないので、残量表示部３８における残量表示も行われない。
【０１１０】
加えて、同じくＯＦＦ状態における接続口金２７の回転規制部２７ａは、図１１（ａ）に示すように回転止め３４ｅの中間位置にある。このとき、クリック板５８は、その溝部５８ｂが突起部３４ｄに係合する位置にある。即ち、クリック機構部によって保持された状態であり、その保持状態にスイッチＯＦＦの機能を割り付けている。
【０１１１】
次に、光源本体３０を操作部６に対して回動させて、図５で示す実線位置又は破線位置にする。なお、残量表示部３８が接眼部７側に向く回転方向を正方向とする。このとき、ランプ収納筒５０を軸にして回動する外装部材３４の回動範囲は、図１２（ａ）に示すように回転規制部２７ａに当接する回転止め３４ｅにより決められる。本実施形態においてはＯＦＦ位置から略９０°の回動角に設定してある。
【０１１２】
このＯＦＦ位置からの回動操作においては、前記クリック板５８の溝部５８ｂに位置する突起部３４ｄを、スプリング５９の弾性力に抗して溝部５８ｂから乗り上げるように操作しなければならない。そのため、ＯＦＦ位置からの最初の動作時には強めの回動力量が必要になる。しかし、前記突起部３４ｄが溝部５８ｂから乗り上がれば、動作初期時よりも軽い安定した一定力量で回動操作を行える。
【０１１３】
また、このクリック固定の際の力量は、クリック板５８を押圧するスプリング５９の力量を変更したり、溝部５８ｂと突起部３４ｄとの係合形状を変更することによって適宜調節可能である。
【０１１４】
さらに、クリック板５８と摺動する突起部３４ｄが摩耗しないように、このクリック板５８の表面に滑り性を向上させるコーティングを施すようにしてもよい。
【０１１５】
図１２（ｂ）に示すように正方向のＯＮ状態においては、前記導電接点板４０ａは絶縁ブロック５２から降りた状態になって、前記導電接点板４０ｂに接する。この状態では、乾電池３３からの電力が変圧回路３９に供給されて、照明ランプ２１の定格電圧に昇圧された電力が供給される。すなわち、変圧回路３９、導電接点板４０ｃ、ランプ接点バネ５５、照明ランプ２１、ランプ収納筒５０、導電接点板４０ｂ、変圧回路３９からなる閉回路が構成されて前記照明ランプ２１が点灯する。
【０１１６】
また、前記照明ランプ２１の点灯と同時に、残量検出回路２５が起動して乾電池３３の出力電圧値などをモニタリングし、その電圧値から電池残量を換算して随時、残量表示部３８に表示する。
【０１１７】
前記照明ランプ２１から出射された照明光は、集光レンズ２２により集光され、内視鏡２のライトガイド口金１１に配置されたライトガイドファイバに効率よく入射される。そして、このライトガイドファイバに入射した照明光は、その先端側に伝送され、照明窓２０から前方側に出射されて、挿入部５が挿入された体腔内の患部等の被写体を照明する。
【０１１８】
一方、この照明光で照明された被写体の光学像は、対物レンズ２３によりイメージガイドファイバの先端面に結像して、その基端側に伝送され、接眼部７を覗くことにより観察されて、患部等の内視鏡診断などを行うことができる。
【０１１９】
このとき、前記照明ランプ２１が点灯中に発生する熱は、ランプ収納筒５０に伝わり、さらに接続部１２から内視鏡２のライトガイド口金１１へ伝わる。そして、ライトガイド口金１１から操作部６内部の金属部品へ熱が拡散していく。
【０１２０】
なお、集光効率をさらに向上させるため、前記照明ランプ２１のガラス球自体に、レンズ状の厚さを持たせ、照明ランプ２１から出射される光をよりスポット光線に近いものにしてもよい。
【０１２１】
このように、本実施形態においては発熱源である照明ランプ２１を導電金属部材であるランプ収納筒５０に収納したことによって、照明ランプ２１で発生する余分な熱を積極的にランプ収納筒５０を介して内視鏡本体内部に拡散することができる。
【０１２２】
また、ランプ収納筒５０と外装部材３４との間に空気の層を設けて、熱が直接外装部材３４に伝わらない構成になっている。  
さらに、たとえ長時間の使用によって、ランプ室３６周辺の外装部材３４に熱が伝導されることがあっても、凹凸部６７から効率良く大気中に熱が放出される。
【０１２３】
また、照明ランプ２１を装着するランプホルダ３２は、ホルダ本体５１を熱を伝えにくい樹脂部材により形成しているので、溝部５１ｄが面している外観表面が高温になることはない。このことによって、術者の手に触れるランプ室３６周辺の外装部材３４表面が、使用を妨げるほどの高温状態になることが防止される。
【０１２４】
このように、内部に熱がこもることがないので、内部に配置される電気回路等に熱による悪影響が及ぶことを防止することができる。
【０１２５】
また、接続環２４のネジカバー２４ｂを熱伝導率の低いゴム素材で形成しているので、術者の手に熱が伝わることを防止することができる。
【０１２６】
観察終了後、光源本体３０をＯＦＦ位置に回動させると、クリック機構によってＯＦＦ位置に位置決め固定されるとともに、導電接点板４０ａが絶縁ブロック５２に乗り上げて照明ランプ２１及び残量表示部３８が同時に消灯状態になる。
【０１２７】
なお、前述したＯＮ／ＯＦＦ回動操作時、前記ランプホルダ３２は外装部材３４と一体的に回動するが、照明ランプ２１は前記ランプホルダ３２との係合よりランプ収納筒５０との摺動抵抗が大きいため回動しない。
【０１２８】
また、このとき、照明ランプ２１からランプホルダ３２に伝わる回転力が微小である。このため、ＯＮ操作、ＯＦＦ操作を繰り返し行っても、ランプホルダ３２の外装部材３４に対する螺合状態に緩みが生じることはない。
【０１２９】
さらに、ライトガイド口金１１と接続口金２７とを固定している接続環２４は、ネジカバー２４ｂを弾性的に操作部６の口金台座６ｃに密着させた状態で雄ネジ部１１ａに螺合している。このため、上述したＯＮ／ＯＦＦ操作を繰り返し行っても、この螺合状態に緩みが生じることはない。
【０１３０】
一方、光源本体３０を内視鏡２に対して例えば上述とは逆方向に回動させて、図５の破線に示す位置に配置して、第２のランプＯＮ状態に設定することもできる。
【０１３１】
このとき、ランプ収納筒５０を軸にして回動する外装部材３４の回動範囲は、回転規制部２７ａとこれに当接する回転止め３４ｅにより決められており、ＯＦＦスイッチ位置から略９０°の回転角に設定してある。
【０１３２】
したがって、内視鏡２の操作部６に対する光源本体３０の回動角度は、ＯＦＦスイッチ位置を中心にした場合、正、逆方向にそれぞれ９０°、すなわち、合計１８０°が全回動角度になっている。
【０１３３】
また、逆方向に回動させたときの導電接点板４０ａ、４０ｂの接触状態は、前記図１３（ｂ）に示す通りである。この逆方向のスイッチ操作機構については、前述した正方向のスイッチ操作機構と回転方向が異なるだけで、同じ構成であるため説明は省略する。
【０１３４】
なお、前述した全回動角度及びクリック固定されるＯＦＦスイッチ位置は、段付き部３４ｃにより形成される角度及びクリック板５８の溝部５８ｂの位置を変えることによって、適宜調節可能である。
【０１３５】
また、前記段付き部３４ｃ及び溝部５８ｂの数や配置位置を変更することによって、全回動角度範囲内に複数のクリック固定位置を設定することもできる。そして、このクリック固定位置に所定の機能を果たす複数のスイッチ機能を割り付けるようにしてもよい。
【０１３６】
上述したように２箇所のＯＮスイッチ位置及びＯＦＦスイッチ位置を備えたバッテリ式光源４は、図１７及び図１８に示すような２通りの把持、操作方法が可能である。
【０１３７】
図１９（ａ）に示すように横になっている患者に使用する場合、図１９（ｃ）に示すように操作部６を手のひらで握り、親指で湾曲操作レバー１４を操作することが一般的に行われていた。このため、図１７に示すように正方向に光源本体３０を回動させ、図５の実線に示す状態にして照明ランプ２１をＯＮ状態にする。このことにより、挿入部５を水平面より下方に向けた状態で操作、観察する場合にもっとも自然な状態で把持することができる。
【０１３８】
これに対して、図１９（ｂ）に示すように対面した患者に使用する場合、挿入部５を略水平状態にして操作、観察しなければならない。このとき、前記図１９（ｃ）に示した把持方法では、挿入部５を水平方向にした状態で湾曲操作レバー１４を親指で操作する動作が非常に不自然で行い難い。
【０１３９】
このときには前記光源本体３０を逆方向に回動させて、図５の破線に示す位置に移動させてＯＮ状態にするとともに、前記湾曲操作レバー１４が上方になるように操作部６を反転させ、この状態で内視鏡２を図１８に示すように把持する。すなわち、手のひらでバッテリ式光源４を包み込むように把持して、人差し指で湾曲操作レバー１４を操作する。この把持方法では光源本体３０を手のひらでしっかりと把持して、人差し指の自然な動作で湾曲操作レバー１４を操作することができるので、操作性が非常に向上する。
【０１４０】
なお、前記ＯＦＦスイッチ位置は、バッテリ光源４を内視鏡２に取り付けた状態で保管場所に収納し易いように、光源本体３０が操作部６に対して平行状態になる位置としている。
【０１４１】
このように、内視鏡の操作部に対する内視鏡用バッテリ光源の配置位置を、規制位置の他に全回動範囲の中途部に設け、それぞれの配置位置に所望のスイッチ機能を割り付け、各スイッチ位置で位置決め、保持される構成にしたことによって、内視鏡の操作性及び使い勝手を大幅に向上させることができる。
【０１４２】
このことにより、内視鏡の操作部に接続された内視鏡用バッテリ光源の相対位置を変えてスイッチ操作を行うようにした内視鏡装置では、相対位置変化範囲内に複数のスイッチ位置を割り付けられ、かつそのスイッチ位置でクリック機構が働くようにしたことにより、複数のスイッチの切り換えを迅速かつ確実容易に行える。加えて、内視鏡の操作部に対する内視鏡用バッテリ光源の相対位置を使用状況を考慮して、最適な位置に所望の機能のスイッチ位置を選択的に配置して、さらに操作性及び使い勝手を大幅に向上させた内視鏡装置となる。
【０１４３】
特に、本実施形態においては、内視鏡２の挿入部５を下方に向けて把持し、親指で湾曲操作レバー１４を操作する把持方法と、内視鏡２の挿入部５を水平方向に向けて把持した状態で、人差し指で湾曲操作レバー１４を操作する把持方法の２通りに適したポジションにスイッチＯＮ位置を割り付けたので、術者は、状況に応じて相対位置を変化させることにより、最適な使い勝手を得られる。
【０１４４】
また、内視鏡用バッテリ光源が接眼部と平行になる位置をスイッチＯＦＦ位置に設定するとともに、このスイッチ位置でもクリック機構が働くようにしたので、使用後、内視鏡の操作部内視鏡用バッテリ光源を接続した状態での収納や保管を容易に行うことができる。
【０１４５】
さらに、電池室に乾電池を収納して蓋体で密閉した状態では、電池室の内部にあるコイルバネと蓋体に設けた導電パネルの両接点部材とによって乾電池の両極が弾性的に挟んだ状態で保持して電気的な導通状態を図っているので、バッテリ光源に外部から強い衝撃が加わって内部の乾電池が慣性によって動くような場合でも、弾性力によって乾電池との電気的接触状態を確実に保持することができる。
【０１４６】
このことによって、たとえ照明ランプ２１点灯時に、光源本体３０に外部からの衝撃が加わって電池室６３内部の乾電池３３が動くような場合でも、電池３３の電極と電池接点間との接触不良が発生することがないので、瞬間的な接触不良による電源の電圧降下を保護回路がショートと誤認識して、照明ランプをＯＦＦ状態にする保護回路の誤動作が防止される。
【０１４７】
なお、本実施形態では、コイルバネ４４と導電パネル４７の２つのバネである弾性腕部によって保護回路の誤動作防止を行っているが、図２に示すようにランプ室３６の上部に衝撃吸収部材６８を設けることで、外部衝撃が加わってもコイルバネ４４を押しつぶす方向の慣性力の発生を和らげることができる。このため、前記導電パネル４７は不要になる。
【０１４８】
又、蓋体に設けた導電板と、導電パネル及び蓋体の凸部との組合せにより、乾電池の装填方向を誤った場合に電気的な接続が行われない構成であるので、乾電池の装填方向を誤って、回路に逆電流が流れることを確実に防止して、乾電池の誤装填による故障を防止することができる。
【０１４９】
また、内視鏡用バッテリ光源を内視鏡の操作部に接続、固定する接続環のネジ本体を金属部材とし、その外周をゴム素材のネジカバーで覆うとともに、その端部の突出した部分を、螺合に伴い内視鏡の操作部に弾性的に当てつける構成したことによって、使用中、接続環が緩むことを確実に防止することができる。
【０１５０】
このことによって、接続状態が不確実になることによって、照明ランプ２１からライトガイド入射部への集光効率が低下することがなくなり、観察光が暗くなることが防止される。加えて、照明ランプ２１の熱による接続環２４外表面の温度上昇が防止される。
【０１５１】
なお、本発明は、以上述べた実施形態のみに限定されるものではなく、発明の要旨を逸脱しない範囲で種々変形実施可能である。
【０１５２】
［付記］
以上詳述したような本発明の上記実施形態によれば、以下の如き構成を得ることができる。
【０１５３】
（１）内視鏡操作部との相対位置を変化させて、照明ランプを点灯状態又は消灯状態に切り換える内視鏡用バッテリ光源において、
前記照明ランプを点灯させる電力を供給するバッテリを内蔵した光源本体と、
この光源本体と前記内視鏡操作部との相対位置が変化する変化範囲に設けた複数のスイッチ位置と、
前記光源本体の前記内視鏡操作部に対する相対位置を所定状態に保持し、その保持状態で前記照明ランプを所定状態に切り換え動作させる少なくとも１つのスイッチ位置に設けたクリック機構部と、
を具備する内視鏡用バッテリ光源。
【０１５４】
（２）前記光源本体を前記内視鏡操作部に対して回動させて相対位置の変化を行う付記１に記載の内視鏡用バッテリ光源。
【０１５５】
（３）前記クリック機構部に保持された光源本体と内視鏡操作部との相対位置関係は、前記内視鏡操作部の長手軸の方向と前記光源本体の長手軸の方向とが略平行な位置関係である付記１に記載の内視鏡用バッテリ光源。
【０１５６】
（４）前記クリック機構部に保持された前記光源本体の長手軸方向と前記内視鏡操作部の長手軸方向とが略平行になるときのスイッチ位置は、前記照明ランプを消灯状態にする付記３に記載の内視鏡用バッテリ光源。
【０１５７】
（５）前記内視鏡操作部の長手軸方向と前記光源本体の長手軸方向とが略直交する相反する対称な位置を、前記照明ランプを点灯状態にするスイッチ位置にした付記３に記載の内視鏡用バッテリ光源。
【０１５８】
（６） 内視鏡操作部と内視鏡用バッテリ光源との相対位置を変化させて、照明ランプを点灯状態又は消灯状態に切り換える内視鏡装置において、
内視鏡は検査部位を照明する照明光を導光するライトガイドと、操作部と、前記操作部に配置した照明光入射端面とを有し、前記バッテリ光源が内視鏡操作部の照明光入射端面近傍に接続されるとき、
前記バッテリ式光源は、
前記照明光入射端面に対向して配置されて前記照明光を発光する照明ランプと、
前記照明ランプを点灯させる電力を供給するバッテリと、
前記バッテリを収容する光源本体と、
前記内視鏡操作部に対する前記光源本体の相対位置を所定の範囲だけ移動させることによって前記照明ランプを点灯状態又は消灯状態に切り換えるスイッチ位置と、
前記内視鏡操作部に対する前記光源本体の相対位置を前記所定の範囲だけ移動したスイッチ位置に設けられて、前記光源本体をクリック固定するクリック機構部と、
を具備する内視鏡装置。
【０１５９】
（７）前記内視鏡用バッテリ光源は、前記内視鏡操作部に対して着脱可能である付記６に記載の内視鏡装置。
【０１６０】
（８）前記光源本体は、前記内視鏡操作部の長手軸に直交する直線を中心軸にし、この操作部の長手軸に対して所定の角度の範囲で回動し、
前記光源本体の長手軸を前記操作部の長手軸に対して相対的に所定角度回動させた位置を前記スイッチ位置とし、このスイッチ位置に前記光源本体を配置させると、前記照明ランプは点灯状態又は消灯状態になる付記６に記載の内視鏡装置。
【０１６１】
（９）前記クリック機構部に前記光源本体をクリック固定したとき、前記操作部の長手軸と前記光源本体の長手軸とが略平行な位置関係になる付記６に記載の内視鏡装置。
【０１６２】
（１０）前記クリック機構部にクリック固定された前記光源本体の長手軸と前記内視鏡操作部の長手軸とが略平行な位置関係のとき、前記照明ランプが消灯状態になるスイッチ位置である付記９に記載の内視鏡装置。
【０１６３】
（１１）前記光源本体の長手軸が前記操作部の長手軸に対して互いに対称になる位置は、前記照明ランプを点灯状態にするスイッチ位置である付記９に記載の内視鏡装置。
【０１６４】
（１２）内視鏡操作部と内視鏡用バッテリ光源との相対位置を変化させて、照明ランプを点灯状態又は消灯状態に切り換える内視鏡装置において、
内視鏡は検査部位を照明する照明光を導光するライトガイドと、操作部と、前記操作部に配置した照明光入射端面とを有し、前記バッテリ式光源は前記内視鏡操作部の前記照明光入射端面近傍に着脱可能に接続されるとき、
前記バッテリ式光源は、
前記照明光入射端面に対向して配置されて照明光を発光する照明ランプと、
前記照明ランプを収容するランプ収容ユニットと、
前記照明ランプを点灯させる電力を供給するバッテリと、
前記ランプ収容ユニットの長手軸を中心軸にして、このランプ収容ユニットに対して回動可能に構成された前記バッテリを収容する光源本体と、
前記光源本体が回動する範囲に少なくとも３つ設けられ、前記照明ランプを点灯状態又は消灯状態に切り換えるスイッチ位置と、
前記光源本体を前記ランプ収容ユニットにクリック固定する、回動範囲内の所定回動位置のスイッチ位置に設けたクリック機構部と、
を具備する内視鏡装置。
【０１６５】
（１３）前記クリック機構部によって前記光源本体をクリック固定したとき、前記内視鏡操作部の長手軸と前記光源本体の長手軸とが略平行になる付記１２に記載の内視鏡装置。
【０１６６】
（１４）少なくとも２つのスイッチ位置は前記回動範囲端部であり、これらのスイッチ位置は前記クリック機構部を設けたスイッチ位置に配置された前記光源本体の長手軸に対して、互いに対象な位置である付記１３に記載の内視鏡装置。
【０１６７】
（１５）前記回動範囲端部に設けた２つのスイッチ位置は、前記照明ランプを点灯状態にする付記１４に記載の内視鏡装置。
【図面の簡単な説明】
【０１６８】
【図１】図１ないし図１９は本発明の一実施形態に係り、図１は本発明の内視鏡装置の構成を説明する図
【図２】操作部及び内視鏡用バッテリ光源の接続部の外観を説明する図
【図３】内視鏡用バッテリ光源の全体構成を示す図
【図４】内視鏡用バッテリ光源のランプ室を主とする長手方向断面図
【図５】操作部と内視鏡用バッテリ光源との相対位置の違いによる内視鏡用バッテリ光源のスイッチ操作を説明する図
【図６】電池蓋及びバックル固定部の断面図
【図７】電池蓋に設けられる接点部材の分解図
【図８】電池蓋に当接するバッテリの両極の範囲を示す図
【図９】図８のＦ−Ｆ線断面図
【図１０】スイッチ接点部の形状、位置関係を説明する図
【図１１】オフ状態のスイッチ位置を説明する図
【図１２】オン状態の第１スイッチ位置を説明する図
【図１３】オン状態の第２スイッチ位置を説明する図
【図１４】内視鏡用バッテリ光源の電源回路を説明する図
【図１５】クリック機構を構成する部品の分解図
【図１６】基板収納室を隔てる隔壁部材を説明する図
【図１７】内視鏡の把持方法の１例を示す図
【図１８】内視鏡の把持方法の他の例を示す図
【図１９】内視鏡装置を患者に使用するときの向きを示す図
【符号の説明】
【０１６９】
３４ｃ…段付き部  
３４ｄ…突起部  
３４ｅ…回転止め  
４０ａ，４０ｂ…導電接点板  
５０…ランプ収納筒
５２…絶縁ブロック  
５８…クリック板
５８ｂ…溝部
代理人    弁理士    伊藤  進
【図１】
2004209279.tif 000003
【図２】
2004209279.tif 000004
【図３】
2004209279.tif 000005
【図４】
2004209279.tif 000006
【図５】
2004209279.tif 000007
【図６】
2004209279.tif 000008
【図７】
2004209279.tif 000009
【図８】
2004209279.tif 000010
【図９】
2004209279.tif 000011
【図１０】
2004209279.tif 000012
【図１１】
2004209279.tif 000013
【図１２】
2004209279.tif 000014
【図１３】
2004209279.tif 000015
【図１４】
2004209279.tif 000016
【図１５】
2004209279.tif 000017
【図１６】
2004209279.tif 000018
【図１７】
2004209279.tif 000019
【図１８】
2004209279.tif 000020
【図１９】
2004209279.tif 000021